(57)【要約】【課題】  透過型の液晶表示パネルを用いたＥＶＦ（電子ビューファインダ）において、表示画像の品位の向上を図る。【解決手段】  ＬＣＤパネル１０の表面に対向して、所定の所定の焦点距離を以ってレンズ４０が配置されている。また、ＬＣＤの裏面側には、光源１００が配置されている。また、ＬＣＤパネル１０の表面及び裏面には、それぞれ第１の偏光板２０及び第２の偏光板３０がそれぞれ接着されている。第１の偏光板２０は、所定の厚さの樹脂層が積層されることにより、第１の偏光板２０の表面がレンズ４０の焦点深度の範囲外となるような厚さを有している。これにより、第１の偏光板２０の表面上やその表面付近の内部に異物５１が存在しても、異物５１はレンズ４０により拡大されない。また、ＬＣＤパネル１０の表面上の損傷部５２は、第１の偏光板２０の粘着層により埋められるため、観察者に視認されない。【選択図】  図１
2006235247.tif 000002
【特許請求の範囲】
【請求項１】
液晶表示パネルと、前記液晶表示パネル用のバックライト光源と、前記液晶表示パネルの表面に対して所定の焦点距離を隔てて対向して配置され、かつこの液晶表示パネルの画像を拡大するレンズと、前記液晶表示パネルの表面に接着された第１の偏光板と、前記液晶表示パネルの裏面に接着された第２の偏光板と、を備えた液晶表示装置であって、
前記第１の偏光板は、その表面が前記レンズの焦点深度の範囲外となるような所定の厚さを有していることを特徴とする液晶表示装置。
【請求項２】
前記第１の偏光板は、前記レンズに対向する側から、第１の保護層、偏光層、第２の保護層、樹脂層、及び粘着層がこの順で積層されたものであり、
前記樹脂層は、前記第１の偏光板の厚さを前記所定の厚さに至らしめるような厚さを有していることを特徴とする請求項１記載の液晶表示装置。
【請求項３】
前記第１の保護層及び前記第２の保護層はトリアセチルセルロースから成り、前記偏光層はポリビニルアルコールから成り、前記樹脂層はエポキシ樹脂から成ることを特徴とする請求項２記載の液晶表示装置。
【請求項４】
前記第１の偏光板は、前記レンズに対向する側から、第１の保護層、偏光層、第３の保護層、及び粘着層がこの順で積層されたものであり、
前記第３の保護層は、前記第１の偏光板の厚さを前記所定の厚さに至らしめるような厚さを有していることを特徴とする請求項１記載の液晶表示装置。
【請求項５】
前記第１の保護層及び前記第３の保護層はトリアセチルセルロースから成り、前記偏光層はポリビニルアルコールから成ることを特徴とする請求項４記載の液晶表示装置。
【発明の詳細な説明】
【技術分野】
【０００１】
本発明は、液晶表示装置に関し、特に、透過型の液晶表示パネルを用いた電子ビューファインダに関する。
【背景技術】
【０００２】
従来より、液晶表示パネル（Ｌｉｑｕｉｄ  Ｃｒｙｓｔａｌ  Ｄｉｓｐｌａｙ：以降、「ＬＣＤパネル」と略称する）を内蔵した電子ビューファインダ（Ｅｌｅｃｔｒｉｃａｌ  Ｖｉｅｗ  Ｆｉｎｄｅｒ：以降、「ＥＶＦ」と略称する）が知られている。ＥＶＦは、主にデジタルビデオカメラやデジタルスチルカメラ等に搭載され、撮像中の画像の確認に用いられる。
【０００３】
次に、従来例に係るＥＶＦについて、図面を参照して説明する。図４は、従来例に係るＥＶＦを説明する断面図である。このＥＶＦでは、バックライト用光源１００の光を透過するか否かにより表示を行う透過型のＬＣＤパネル１０を用いている。また、ＬＣＤパネル１０の表面（表示面）に対向して、その表面に対する所定の焦点距離を隔ててレンズ４０が配置されている。また、ＬＣＤパネル１０の表面及び裏面には、それぞれ第１の偏光板２２０及び第２の偏光板２３０が、不図示の粘着層を介して接着されている。観察者は、ＬＣＤパネル１０の表面（表示面）に現れる画像をレンズ４０により拡大して見ることができる。
【０００４】
なお、本願に関連する技術文献としては、以下の特許文献が挙げられる。
【特許文献１】２００３−１８６００３号公報
【発明の開示】
【発明が解決しようとする課題】
【０００５】
上述したＥＶＦでは、ＬＣＤパネル１０の表面に損傷部５２が形成されていた場合、その損傷部５２は第１の偏光板２２０の不図示の粘着層の粘着剤により埋め込まれる。即ち、その損傷部５２は観察者には視認されない。
【０００６】
しかしながら、第１の偏光板２２０の表面上もしくは内部に異物５１が混入している場合、ＬＣＤパネル１０の表面に現れる画像と共に異物５１がレンズ４０により拡大されて観察者に視認されるという問題が生じていた。
【０００７】
これは、レンズ４０の焦点がＬＣＤパネル１０の表面に結ばれているため、それに隣接する第１の偏光板２２０の表面がレンズ４０の焦点深度（被観察物がレンズを介して鮮明に見える光軸に沿った距離範囲）内に収まっているために起こる。
【０００８】
この問題を解決する手段として、第１の偏光板２２０をＬＣＤパネル１０から離間させて上記焦点深度の外に配置することが考えられる。即ち、図５に示すＥＶＦでは、図４のＥＶＦのＬＣＤパネル１０の上下に、スペーサー２１１を介して第１の偏光板２２０及び第２の偏光板２３０が配置されている。このＥＶＦのＬＣＤパネル１０と上記各偏光板とはスペーサー２１１によって離間されている。そのため、第１の偏光板２２０の表面はレンズ４０の焦点深度外となって、レンズ４０によって上記異物５１が拡大されて見えるという問題は回避される。
【０００９】
しかしながら、ＬＣＤパネル１０の表面に損傷部５２が存在する場合、損傷部５２は、第１の偏光板２２０の粘着層に覆われずに露出しているため、レンズ４０に拡大されてしまうという問題が生じていた。
【００１０】
即ち、従来のＥＶＦでは、第１の偏光板２２０の異物５１、及びＬＣＤパネル１０の損傷部５２がレンズ４０により拡大されることを同時に抑止することは不可能であった。結果として、表示装置の表示品位が低下していた。そこで本発明は、透過型の液晶表示パネルを用いたＥＶＦにおいて、表示品位の向上を図ることを目的とする。
【課題を解決するための手段】
【００１１】
本発明の液晶表示装置は、上記課題に鑑みて為されたものであり、液晶表示パネルと、液晶表示パネル用のバックライト光源と、液晶表示パネルの表面に対して所定の焦点距離を隔てて対向して配置され、かつこの液晶表示パネルの画像を拡大するレンズと、液晶表示パネルの表面に接着された第１の偏光板と、液晶表示パネルの裏面に接着された第２の偏光板と、を備えた液晶表示装置であって、第１の偏光板は、その表面が前記レンズの焦点深度の範囲外となるような所定の厚さを有していることを特徴とする。
【００１２】
ここで、第１の偏光板は、レンズに対向する側から、第１の保護層、偏光層、第２の保護層、樹脂層、及び粘着層がこの順で積層されたものであり、樹脂層は、第１の偏光板の厚さを上記所定の厚さに至らしめるような厚さを有している。
【００１３】
もしくは、第１の偏光板は、レンズに対向する側から、第１の保護層、偏光層、第３の保護層、及び粘着層がこの順で積層されたものであり、第３の保護層は、第１の偏光板の厚さを上記所定の厚さに至らしめるような厚さを有していることを特徴とする。
【発明の効果】
【００１４】
本発明によれば、第１の偏光板の表面がレンズの焦点深度の範囲外となるため、第１の偏光板の表面上やその表面付近の内部に異物が混入した場合においても、異物がレンズにより拡大されることが抑止される。
【００１５】
また、第１の偏光板は粘着層を介して液晶表示パネルに接着されるため、液晶表示パネルの表面に傷等の損傷部が存在した場合においても、その損傷部は上記粘着層を構成する粘着剤により埋められる。即ち、その損傷部はレンズによって拡大されても、観察者により視認されない。
【００１６】
結果として、透過型の液晶表示パネルを用いたＥＶＦにおいて、表示品位の向上が図れる。
【発明を実施するための最良の形態】
【００１７】
次に、本発明の実施形態に係る液晶表示装置、即ち、透過型の液晶表示パネルを用いたＥＶＦについて図面を参照して説明する。図１は、本実施形態に係る液晶表示装置を説明する断面図である。なお、図１では、図４及び図５に示したものと同様の構成要素については、同一の符号を付して説明を行うものとする。
【００１８】
図１に示すように、透過型の液晶表示パネルであるＬＣＤパネル１０の表面（表示面）及び裏面には、それぞれ第１の偏光板２０及び第２の偏光板３０が不図示の粘着層を介して接着されている。また、ＬＣＤパネル１０の表面（表示面）に対向して、その表面に表示される画像を拡大するレンズ４０が配置されている。即ち、レンズ４０は、ＬＣＤパネル１０の表面に対する所定の焦点距離を隔てて配置されている。また、ＬＣＤパネル１０の裏面に対向して、バックライト用光源１００が配置されている。
【００１９】
上記構成において、第１の偏光板２０は、その表面がレンズ４０の焦点深度の範囲外となるような所定の厚さを有している。また、第１の偏光板２０は検光子（偏光を透過もしくは遮断するフィルタ）として、第２の偏光板３０は偏光子（光源１００の光から偏光を抽出するフィルタ）として機能するように形成されている。また、図１では、第２の偏光板３０は第１の偏光板２０と同一の厚さを有しているが、それ以下の厚さを有していてもよい。
【００２０】
上述した所定の厚さを有した第１の偏光板２０は、例えば以下に図示されるような構成を有する。図２及び図３は、本実施形態に係る液晶表示装置の第１の偏光板を説明する断面図である。
【００２１】
図２に示すように、第１の偏光板２０は、ＴＡＣ（トリアセチルアルコール）フィルムから成る第１の保護層３２、ＰＶＡ（ポリビニルアルコール）にヨウ素を添加して検格子としての偏光機能を付与したフィルムから成る偏光層３１、ＴＡＣ（トリアセチルアルコール）フィルムから成る第２の保護層３３、エポキシ樹脂フィルムから成る樹脂層３４、及び粘着層３５がこの順で積層されて成る。なお、これらの偏光層３１、第１及び第２の保護層３２，３３、樹脂層３４、及び粘着層３５は、上記以外の材料から成るものであってもよい。
【００２２】
ここで、特に限定されないが、第１及び第２の保護層３２，３３の厚さはそれぞれ約４０〜８０μｍ、偏光層３１の厚さは約２０μｍ、樹脂層３４の厚さは約０．５ｍｍ以上、粘着層３５の厚さは約２０μｍであることが好ましい。なお、樹脂層３４の厚さは、上記厚さに限定されず、第１の偏光板２０をその所定の厚さ（第１の偏光板２０の表面が前記レンズ４０の焦点深度の範囲外となるような厚さ）に至らしめるものであれば、上記以外の厚さであってもよい。
【００２３】
また、第１の偏光板２０の構成は図１に示した構成に限定されずに、以下に示すような構成を有してもよい。即ち、図３に示すように、第１の偏光板２０は、図１の第２の保護層３３及び樹脂層３５の替わりに、例えばＴＡＣ（トリアセチルアルコール）フィルムもしくは他の材料から成る厚い保護層３６が積層されて成るものであってもよい。この場合、厚い保護層３６の厚さは、好ましくは約０．５ｍｍ以上であるが、第１の偏光板２０をその所定の厚さ（第１の偏光板２０の表面が前記レンズ４０の焦点深度の範囲外となるような厚さ）に至らしめるものであれば、特に限定されない。
【００２４】
上述したように、本実施形態によれば、第１の偏光板２０の上記所定の厚さにより、第１の偏光板２０の表面はレンズ４０の焦点深度の範囲外となる。そのため、ＬＣＤパネル１０の駆動状態に応じてバックライト用光源１００の光が第２の偏光板３０及び第１の偏光板２０を透過するとき、第１の偏光板２０の表面上やその表面付近の内部に異物５１が混入していたとしても、ＬＣＤパネル１０の表面に現れた表示画像のみが観察者により視認され、従来例にみられたようにレンズ４０によって異物５１が拡大されて観察者により視認されることが抑止される。
【００２５】
また、ＬＣＤパネル１０の表面と第１の偏光板２０とは、第１の偏光板１０の裏面側に積層された粘着層３５を介して接着されている。この粘着層３５を構成する粘着剤は、ＬＣＤパネル１０の表面に損傷部５２が形成されていた場合、その損傷部５２に埋め込まれる。そのため、損傷部５２はレンズ４０に拡大されても観察者には視認されない。
【００２６】
以上より、第１の偏光板２０の異物５１及びＬＣＤパネル１０の損傷部５２がレンズ４０により拡大されることを同時に抑止することが可能となる。結果として、透過型の液晶表示パネルを用いたＥＶＦにおいて、その表示品位が向上する。
【図面の簡単な説明】
【００２７】
【図１】本発明の実施形態に係る液晶表示装置を説明する断面図である。
【図２】本発明の実施形態に係る液晶表示装置の第１の偏光板を説明する断面図である。
【図３】本発明の実施形態に係る液晶表示装置の第１の偏光板を説明する断面図である。
【図４】従来例に係る液晶表示装置を説明する断面図である。
【図５】従来例に係る液晶表示装置を説明する断面図である。
【符号の説明】
【００２８】
１０  ＬＣＤ                  ２０，２２０  第１の偏光板        
３０，２３０  第２の偏光板    ３１  偏光層                    ３２  第１の保護層
３３  第２の保護層            ３４  樹脂層                    ３５  粘着層
３６  厚い保護層              ４０  レンズ                    ５１  異物
５２  損傷部                １００  バックライト用光源      ２１１  スペーサー
【図１】
2006235247.tif 000003
【図２】
2006235247.tif 000004
【図３】
2006235247.tif 000005
【図４】
2006235247.tif 000006
【図５】
2006235247.tif 000007